【手続補正書】
【提出日】平成21年1月29日(2009.1.29)
【手続補正１】
【補正対象書類名】特許請求の範囲
【補正対象項目名】全文
【補正方法】変更
【補正の内容】
【特許請求の範囲】
【請求項１】
入力音声信号から所定のカットオフ周波数以上の高域成分を抽出し、所定の高域用アンプを介してサテライトスピーカへ供給する高域成分抽出部と、
上記入力音声信号から上記カットオフ周波数以下の低域成分を抽出する低域成分抽出部と、
上記入力音声信号における上記高域成分と上記低域成分との相関を低下させる相関低下部と、
上記低域成分を遅延させ所定の低域用アンプを介してサブウーファーへ供給する遅延部と
を有する音声信号処理装置。
【請求項２】
上記入力音声信号は、所定の音源より供給される複数チャンネルの音声信号であって、
上記高域成分抽出部は、各チャンネルの音声信号から上記高域成分をそれぞれ抽出する複数の高域成分抽出手段を有し、
上記低域成分抽出部は、各チャンネルの音声信号から上記低域成分をそれぞれ抽出する複数の低域成分抽出手段を有し、
上記複数の低域成分抽出手段からの低域成分をそれぞれ加算することにより低域信号を生成し、当該低域信号を上記相関低下部に供給する低域信号生成部をさらに有する
請求項１に記載の音声信号処理装置。
【請求項３】
上記カットオフ周波数は、
リスナが音の指向性を感じ得る周波数帯よりも高められている
請求項１に記載の音声信号処理装置。
【請求項４】
上記カットオフ周波数は、
約６５０［Ｈｚ］でなる
請求項３に記載の音声信号処理装置。
【請求項５】
上記相関低下部は、
上記低域成分を周波数毎に位相変化させることにより、上記高域成分と当該低域成分との相関を低下させる
請求項１に記載の音声信号処理装置。
【請求項６】
上記相関低下部は、
上記複数チャンネルの音声信号における高域成分を、当該高域成分における互いの位相を維持したまま周波数毎に位相変化させることにより、当該複数チャンネルの音声信号における高域成分と上記低域信号との相関を低下させる
請求項２に記載の音声信号処理装置。
【請求項７】
上記相関低下部は、
上記低域信号を周波数毎に位相変化させる際、当該低域信号の音圧レベルを変化させないオールパスフィルタでなる
請求項６に記載の音声信号処理装置。
【請求項８】
上記音源は、上記複数チャンネルの音声信号に加え低域成分の音声のみが含まれる低域チャンネルの音声信号を供給し、
上記高域成分抽出部は、
上記低域チャンネルを除いた上記複数のチャンネルの音声信号から上記カットオフ周波数以上の高域成分をそれぞれ抽出して所定の高域用アンプを介し複数のサテライトスピーカへそれぞれ供給し、
上記低域成分抽出部は、
上記低域チャンネルを除いた上記複数チャンネルの音声信号から上記カットオフ周波数以下の低域成分をそれぞれ抽出し、
上記低域信号生成部は、
上記低域チャンネルの音声信号に対して上記低域成分をそれぞれ加算することにより上記低域信号を生成する
請求項２に記載の音声信号処理装置。
【請求項９】
入力音声信号から所定のカットオフ周波数以上の高域成分を抽出し、所定の高域用アンプを介してサテライトスピーカへ供給する高域成分抽出ステップと、
上記入力音声信号から上記カットオフ周波数以下の低域成分を抽出する低域成分抽出ステップと、
上記入力音声信号における上記高域成分と上記低域成分との相関を低下させる相関低下ステップと、
上記低域成分を遅延させ所定の低域用アンプを介してサブウーファーへ供給する遅延ステップと
を有する音声信号処理方法。
【請求項１０】
音声信号処理装置のコンピュータに対して、
入力音声信号から所定のカットオフ周波数以上の高域成分を抽出し、所定の高域用アンプを介してサテライトスピーカへ供給する高域成分抽出ステップと、
上記入力音声信号から上記カットオフ周波数以下の低域成分を抽出する低域成分抽出ステップと、
上記入力音声信号における上記高域成分と上記低域成分との相関を低下させる相関低下ステップと、
上記低域成分を遅延させ所定の低域用アンプを介してサブウーファーへ供給する遅延ステップと
を実行させる音声信号処理プログラム。
【手続補正２】
【補正対象書類名】明細書
【補正対象項目名】０００７
【補正方法】変更
【補正の内容】
【０００７】
このとき２．１チャンネルのオーディオシステム１０１では、サブウーファー１０４がその大きさ等により設置場所の制約を受けることから、部屋の隅等、リスナ１００の正面以外の様々な場所に設置される可能性が高いものの、低域の音に対する人間の方向感（以下、指向性と記す）が弱いことから、部屋のどこに設置されても再生音の音像定位に殆ど影響を与えることが無い。
【手続補正３】
【補正対象書類名】明細書
【補正対象項目名】００１３
【補正方法】変更
【補正の内容】
【００１３】
かかる課題を解決するため本発明においては、入力音声信号から所定のカットオフ周波数以上の高域成分を抽出し、所定の高域用アンプを介してサテライトスピーカへ供給し、入力音声信号からカットオフ周波数以下の低域成分を抽出し、入力音声信号における高域成分と低域成分との相関を低下させ、低域成分を遅延させ所定の低域用アンプを介してサブウーファーへ供給するようにした。
【手続補正４】
【補正対象書類名】明細書
【補正対象項目名】００１８
【補正方法】変更
【補正の内容】
【００１８】
オーディオシステム１では、一般的な２．１チャンネルのオーディオシステムと同様、音源位置に対する人間の判別能力（方向感：指向性）が周波数に応じて異なることを考慮し、所定のクロスオーバー周波数を境界として音声信号Ｓ１Ｌ及びＳ１Ｒを指向性が強い中高域と指向性が弱い中低域とに大きく分け、指向性が強い中高域の音を主にサテライトスピーカ３Ｌ及び３Ｒから出力し、指向性が弱い中低域の音を主にサブウーファー４から出力するようになされている。
【手続補正５】
【補正対象書類名】明細書
【補正対象項目名】００２２
【補正方法】変更
【補正の内容】
【００２２】
これによりオーディオシステム１では、一般的な２．１チャンネルのオーディオシステムと比較して、サテライトスピーカ３Ｌ及び３Ｒの最低再生周波数を上昇させ得ることになるため、搭載されるスピーカユニットにおけるコーン（振動板）の外径を小さくし得ると共に、それぞれの容積を小さくし得、当該サテライトスピーカ３Ｌ及び３Ｒを小型に構成し得るようになされている。実際上、サテライトスピーカ３Ｌ及び３Ｒは、それぞれの容積が約０．０２５［Ｌ］程度と極めて小型に構成されている。
【手続補正６】
【補正対象書類名】明細書
【補正対象項目名】００３６
【補正方法】変更
【補正の内容】
【００３６】
そこでオーディオアンプ２では、音像寄与低減部１５により、サブウーファー４から出力させる音が音像の位置や大きさに与える影響を低減させるようになされている。
【手続補正７】
【補正対象書類名】明細書
【補正対象項目名】００４５
【補正方法】変更
【補正の内容】
【００４５】
また、サテライトスピーカ３Ｌ及び３Ｒから出力される音は互いに相関がある場合、２つのスピーカ（サテライトスピーカ３Ｌ及び３Ｒ）によって１つの音像を形成することになる。このときリスナ１００は、聴覚的な特性により、１つのスピーカ（サブウーファー４）による音像よりも２つのスピーカ（サテライトスピーカ３Ｌ及び３Ｒ）による音像を強く認識することになる。
【手続補正８】
【補正対象書類名】明細書
【補正対象項目名】００４６
【補正方法】変更
【補正の内容】
【００４６】
このため、図６のオーディオシステムでは、サテライトスピーカ３Ｌから出力される音とサブウーファー４から出力される音との間、或いはサテライトスピーカ３Ｒから出力される音とサブウーファー４から出力される音との間で音像が切り離されて広がることになり、結果的に、図中に斜線で示すように、サテライトスピーカ３Ｌ及び３Ｒによる音像が支配的となり、リスナ１００に対して当該サテライトスピーカ３Ｌ及び３Ｒの間に音像が定位しているかのように認識させることができる。
【手続補正９】
【補正対象書類名】明細書
【補正対象項目名】００６８
【補正方法】変更
【補正の内容】
【００６８】
この結果、オーディオシステム１では、音声信号Ｓ１Ｌ及びＳ１Ｒの周波数成分をサテライトスピーカ３Ｌ及び３Ｒとサブウーファー４とに振り分けて出力する際、当該サテライトスピーカ３Ｌ及び３Ｒから出力する音により形成される音像を、当該サブウーファー４から出力する中低域の音によって乱さないようにすることができるので、サテライトスピーカ３Ｌ及び３Ｒの間に音像が正しく定位されると共に周波数特性が良好な音をリスナ１００に聴取させることができる。
【手続補正１０】
【補正対象書類名】明細書
【補正対象項目名】００７２
【補正方法】変更
【補正の内容】
【００７２】
以上の構成によれば、オーディオシステム１は、クロスオーバー周波数が高められ小型化されたサテライトスピーカ３Ｌ及び３Ｒから指向性の強い中高音を出力すると共に、ある程度指向性を有する中低域の音声信号Ｓ４に対して相関低下フィルタ１６によって当該中高音に対する相関を低下させ、さらに遅延回路１７によって当該中高音よりも僅かに遅延させることにより、周波数成分が維持され音像への寄与が低減された中低音をサブウーファー４から出力することができるので、当該サテライトスピーカ３Ｌ及び３Ｒから出力する音により形成される音像を当該サブウーファー４から出力する音によって乱さずに済み、かくしてサテライトスピーカにおける設置場所の自由度を高め得ると共に、音像が正しく定位され、且つ周波数特性が良好な音をリスナ１００に聴取させることができる。
【手続補正１１】
【補正対象書類名】明細書
【補正対象項目名】０１０１
【補正方法】変更
【補正の内容】
【０１０１】
このときオーディオシステム３０では、音像寄与低減部１５の相関低下フィルタ１６によって音声信号Ｓ３４Ａの音圧レベルや周波数特性を維持したまま音声信号Ｓ３２ＦＬ、Ｓ３２Ｃ、Ｓ３２ＦＲ、Ｓ３２ＲＬ及びＳ３２ＲＲに対する相関を低下させることにより、サテライトスピーカ３ＦＬ、３Ｃ、３ＦＲ、３ＲＬ及び３ＲＲからの音により形成される音像に対する、当該サブウーファー４から出力される音による影響を低下させることができる。
【手続補正１２】
【補正対象書類名】明細書
【補正対象項目名】０１０４
【補正方法】変更
【補正の内容】
【０１０４】
以上の構成によれば、オーディオシステム３０は、オーディオシステム１と同様、クロスオーバー周波数が高められ小型化されたサテライトスピーカ３ＦＬ、３Ｃ、３ＦＲ、３ＲＬ及び３ＲＲから指向性の強い中高音を出力すると共に、ある程度指向性を有する中低域の音声信号Ｓ３４Ａに対して相関低下フィルタ１６によって当該中高音に対する相関を低下させ、さらに遅延回路１７によって当該中高音よりも僅かに遅延させることにより周波数成分が維持され音像への寄与が低減された中低音をサブウーファー４から出力することができるので、当該サテライトスピーカ３ＦＬ、３Ｃ、３ＦＲ、３ＲＬ及び３ＲＲから出力する音により形成される音像を当該サブウーファー４から出力する音によって崩さずに済み、かくしてサテライトスピーカにおける設置場所の自由度を高め得ると共に、音像が正しく定位され、且つ周波数特性が良好な音をリスナ１００に聴取させることができる。
【手続補正１３】
【補正対象書類名】明細書
【補正対象項目名】０１１３
【補正方法】変更
【補正の内容】
【０１１３】
このため相関低下フィルタ６０は、周波数の対数に対して直線的に位相を変化させることになり、相関低下フィルタ１６と同様、音圧レベルを変化させることなく位相のみを変化させることができ、さらに遅延器６３Ａ〜６３Ｃにおける遅延量を変化させることにより、周波数に対する位相の変化のさせ方、すなわち図５に示したような周波数位相特性を様々に変化させることができるものの、ＤＳＰ１０における処理負荷を増加させることになる。
【手続補正１４】
【補正対象書類名】明細書
【補正対象項目名】０１２３
【補正方法】変更
【補正の内容】
【０１２３】
さらに上述した実施の形態においては、高域成分抽出部としてのハイパスフィルタ１１Ｌ及び１１Ｒと、低域成分抽出部としてのローパスフィルタ１２Ｌ及び１２Ｒと、相関低下部としての相関低下フィルタ１６と、遅延部としての遅延回路１７とによって音声信号処理装置としてのオーディオアンプ２を構成する場合について述べたが、本発明はこれに限らず、その他種々の回路構成でなる高域成分抽出部と、低域成分抽出部と、相関低下部と、遅延部とによって音声信号処理装置を構成するようにしても良い。
【手続補正１５】
【補正対象書類名】図面
【補正対象項目名】図２
【補正方法】変更
【補正の内容】
【図２】
2007288677.tif 000001
【手続補正１６】
【補正対象書類名】図面
【補正対象項目名】図１０
【補正方法】変更
【補正の内容】
【図１０】
2007288677.tif 000002